(57)【要約】【課題】  簡単にダイアログボックスの選択ボタンを選択できる情報処理装置の制御方法を提供する。【解決手段】表示装置３に選択ボタンを含むダイアログボックス２０が表示される。ダイアログボックス２０が表示されると、ダイアログボックス２０に設けられた選択ボタン２１と２２の数が取得される。タッチパッドの操作面上に選択ボタン２１と２２に対応する選択領域２３ａと２３ｂが設定される。この状態で、ユーザがタッチパッド５の操作面上の操作領域２３ａと２３ｂに触れる動作を判断する。選択領域２３ａ又は２３ｂを操作すると、操作領域２３ａ又はと２３ｂに対応する選択ボタン２１又は２２が選択されたと判断して、その機能を実行する。【選択図】  図５
2009087075.tif 000002
【特許請求の範囲】
【請求項１】
ダイアログボックスを表示する表示装置と、
ポインターを操作するためのタッチパッドと、
表示内容を選択するための前記ダイアログボックスが表示されたとき、そのダイアログボックス内に設けられた選択ボタンに応じて、前記タッチパッド上にその選択ボタンのそれぞれに対応した選択領域を設定する領域設定手段と、
前記タッチパッドの操作面上で何らかの操作がなされたことを検知する操作検知手段と、
前記操作検知手段により、前記選択領域が選択されたことを検知したとき、その選択領域に対応する前記ダイアログボックスに設けられた選択ボタンが選択されたと判断する判断手段と、
を具備したことを特徴とする情報処理装置。
【請求項２】
前記領域設定手段は、前記ダイアログボックスに設けられた選択ボタンに対応する選択領域を前記タッチパッド上の所定の位置に自動的に配置する配置手段をさらに具備したことを特徴とする請求項１に記載の情報処理装置。
【請求項３】
前記領域設定手段で設定される選択領域は、前記ダイアログボックスに設けられた複数のボタンに対応するそれぞれの選択領域がタッチパッド上の辺部に連続して配置されることを特徴とする請求項１又は請求項２に記載の情報処理装置。
【請求項４】
前記タッチパッドは、タッチパッド上に設定された選択領域とその操作内容を表示する表示部と、前記表示部の上面に設けられた透明なタッチスイッチとを具備したことを特徴とする請求項２に記載の情報処理装置。
【請求項５】
情報を表示する表示装置と、前記表示装置上に表示されたポインターを操作するためのタッチパッドとを具備する情報処理装置の制御方法であって、
前記表示装置に、ある操作内容を示す選択ボタンを含むダイアログボックスを表示し、
そのダイアログボックス内に設けられた選択ボタンに応じて、前記タッチパッド上にその選択ボタンのそれぞれに対応した選択領域を設定し、
前記タッチパッドの操作面上の前記選択領域のいずれかの場所がタッチされたことを検知したとき、検知された場所に設定された選択領域に対応する前記ダイアログボックスに設けられた選択ボタンが選択されたと判断する
ことを特徴とする情報処理装置の制御方法。
【請求項６】
前記選択領域を設定するステップは、前記表示装置に表示されたダイアログボックスに設けられた選択ボタンに対応する選択領域を前記タッチパッド上の所定の位置に自動的に配置するステップをさらに含むことを特徴とする請求項５に記載の情報処理装置の制御方法。
【請求項７】
情報を表示する表示装置と、前記表示装置上に表示されたポインターを操作するためのタッチパッドとを具備する情報処理装置の制御プログラムであって、
前記表示装置に、ある操作内容を示す選択ボタンを含むダイアログボックスを表示する機能と、
そのダイアログボックス内に設けられた選択ボタンに応じて、前記タッチパッド上にその選択ボタンのそれぞれに対応した選択領域を設定する領域設定機能と、
前記タッチパッド上の操作面上の前記選択領域のいずれかの場所がタッチされたことを検知したとき、検知された場所に設定された選択領域に対応する前記ダイアログボックスに設けられた選択ボタンが選択されたと判断する機能と、
を具備することを特徴とする情報処理装置の制御プログラム。
【請求項８】
前記領域設定機能は、前記ダイアログボックスに設けられた選択ボタンに対応する選択領域を前記タッチパッド上の所定の位置に自動的に配置する機能をさらに含むことを特徴とする請求項７に記載の情報処理装置の制御プログラム。
【請求項９】
前記タッチパッドは、表示部と前記表示部の上面に設けられた透明なタッチスイッチとを有し、前記領域設定機能は前記表示部にタッチパッド上に設定された選択領域とその操作内容を表示する機能を有することを特徴とする請求項７に記載の情報処理装置の制御プログラム。
【発明の詳細な説明】
【技術分野】
【０００１】
本発明は、例えばノート型パーソナルコンピュータ等の情報処理装置、情報処理装置の制御方法、及び情報処理装置の制御プログラムに関する。
【背景技術】
【０００２】
近年、個人でもノート型パーソナルコンピュータ（以下ＰＣという）が頻繁に使用されるようになった。ユーザはＰＣを使っていると、処理を継続して良いか（ＯＫボタン）、取り消すか（Ｃａｎｃｅｌボタン）などのボタンを含むダイアログボックスが表示されることがある。ユーザは表示されたダイアログボックスで提示された操作のうちどの処理を選択するかを、タッチパッド等のポインティングデバイスを操作してポインターを移動させ、目的のボタンの上で左ボタンを押すことにより所望の操作を選択している。
【０００３】
最近、タッチパッドはポインティング操作をするだけではなく、指でタッチするという利点を生かすことで、色々な情報を入力できるタッチパッドも出て来た。（例えば、特許文献１参照）
【特許文献１】特開２００２−１４９３３８号公報
【発明の開示】
【発明が解決しようとする課題】
【０００４】
ＰＣのユーザがファイルやフォルダの操作を行ったときに、確認ダイアログボックスが表示されることがある。そのようなとき通常はユーザがそのダイアログボックス上に設けられた何れかの機能の選択ボタンを選択するために、タッチパッドなどのポインティングデバイスによりポインターを所望の選択ボタンの位置まで移動して左ボタンをクリックする。もう一つの選択方法は、キーボードに備えられた矢印キーを操作して所望の選択ボタンを選択し、ＥＮＴＥＲキーを押す方法もある。
【０００５】
上述したように従来では、ユーザがダイアログボックスの選択ボタンを選択する際は、タッチパッドと左ボタン又は矢印キーとＥＮＴＥＲキーというように複数のキー操作が必要であった。
【０００６】
本発明は、上記課題を解決するためになされたもので、簡単な操作で選択ボタンの選択ができる情報処理装置、情報処理装置の制御方法及び情報処理装置の制御プログラムを提供することを目的とする。
【課題を解決するための手段】
【０００７】
上記目的を達成するために、本発明は、ダイアログボックスを表示する表示装置と、ポインターを操作するためのタッチパッドと、表示内容を選択するための前記ダイアログボックスが表示されたとき、そのダイアログボックス内に設けられた選択ボタンに応じて、前記タッチパッド上にその選択ボタンのそれぞれに対応した選択領域を設定する領域設定手段と、前記タッチパッドの操作面上で何らかの操作がなされたことを検知する操作検知手段と、前記操作検知手段により、前記選択領域が選択されたことを検知したとき、その選択領域に対応する前記ダイアログボックスに設けられた選択ボタンが選択されたと判断する判断手段と、を具備したことを特徴とする。
【０００８】
また、本発明は、情報を表示する表示装置と、前記表示装置上に表示されたポインターを操作するためのタッチパッドとを具備する情報処理装置の制御方法であって、前記表示装置に、ある操作内容を示す選択するための選択ボタンを含むダイアログボックスを表示し、そのダイアログボックス内に設けられた選択ボタンに応じて、前記タッチパッド上にその選択ボタンのそれぞれに対応した選択領域を設定し、前記タッチパッドの操作面上の前記選択領域のいずれかの場所がタッチされたことを検知したとき、検知された場所に設定された選択領域に対応する前記ダイアログボックスに設けられた選択ボタンが選択されたと判断することを特徴とする。
【０００９】
また、本発明にかかるプログラムは、情報を表示する表示装置と、前記表示装置上に表示されたポインターを操作するためのタッチパッドとを具備する情報処理装置の制御プログラムであって、前記表示装置に、ある操作内容を示す選択ボタンを含むダイアログボックスを表示する機能と、そのダイアログボックス内に設けられた選択ボタンに応じて、前記タッチパッド上にその選択ボタンのそれぞれに対応した選択領域を設定する領域設定機能と、前記タッチパッド上の操作面上の前記選択領域のいずれかの場所がタッチされたことを検知したとき、検知された場所に設定された選択領域に対応する前記ダイアログボックスに設けられた選択ボタンが選択されたと判断する機能と、をコンピュータで実現することを特徴とする。
【発明の効果】
【００１０】
本発明によれば、簡単な操作で選択ボタンの選択ができる情報処理装置、情報処理装置の制御方法及び情報処理装置の制御プログラムを提供することができる。
【発明を実施するための最良の形態】
【００１１】
以下、図面を参照して、本発明の実施の形態について説明する。
【実施例】
【００１２】
図1は、本発明の実施形態に於ける情報処理装置の外観構成を示す。ここでは、本発明にかかるノート型のＰＣを例に示している。
【００１３】
図１において、ＰＣは、コンピュータ本体１と、ディスプレイユニット２とから構成されている。ディスプレイユニット２には、表示装置３が組み込まれていて、コンピュータ本体１に対して開閉自在に取り付けられている。コンピュータ本体１は箱型の筐体を有しており、その筐体の上面には、文字等を入力するとき操作されるキーボード４が設けられている。キーボード４の手前の筐体上面のほぼ中央部分には、タッチパッド５と、ポインティングデバイスの左ボタン５ａ及び右ボタン５ｂが設けられている。
【００１４】
次に、上記図１に示したコンピュータ本体１のシステム構成を図２に示す。
【００１５】
このコンピュータ本体１には、図２に示すように、Ｒｏｏｔ  Ｃｏｍｐｌｅｘ６、中央処理装置（ＣＰＵ）７、バイオスリードオンリーメモリー（ＢＩＯＳ−ＲＯＭ）８、ハードディスクドライブ（ＨＤＤ）９、主メモリ１０、光ディスクドライブ１１、グラフィクスコントローラ１２、及びエンベデッドコントローラ/キーボードコントローラＩＣ（ＥＣ／ＫＢＣ）１３等が設けられている。
【００１６】
Ｒｏｏｔ  Ｃｏｍｐｌｅｘ６は、ＰＣの筐体に設けられている他の部品を接続して、情報を交換するために設けられている。ＣＰＵ７は、このＲｏｏｔ  Ｃｏｍｐｌｅｘ６に接続されて、コンピュータ本体１の操作を制御するために設けられたものである。ＢＩＯＳ−ＲＯＭ８には、基本入出力システムとしてＢＩＯＳ（ｂａｓｉｃ  ｉｎｐｕｔ／ｏｕｔｐｕｔ  ｓｙｓｔｅｍ）が書き込まれている。ＢＩＯＳはコンピュータに搭載されたオペレーティングシステム（ＯＳ）とハードウェア（例えば表示装置３、タッチパッド５）で入出力されたデータの交換を制御するプログラムである。
【００１７】
オペレーティングシステム（ＯＳ）、又はアプリケーションプログラムやユーティリティプログラム等は、ハードディスクドライブ（ＨＤＤ）９に搭載されていて、ハードディスクドライブ（ＨＤＤ）９から主メモリ１０にロードされる。主メモリ１０はＲＡＭ（Ｒａｎｄｏｍ  Ａｃｃｅｓｓ  Ｍｅｍｏｒｙ）等で構成される、揮発性の記憶媒体である。主メモリ１０を通して、ロードされたプログラムはＣＰＵ７で実行される。
【００１８】
光ディスクドライブ１１は、記憶媒体、例えばＤＶＤ−ＲＯＭなどに保存されている情報を読み込むために設けられている。
【００１９】
グラフィクスコントローラ１２はＲｏｏｔ  Ｃｏｍｐｌｅｘ６と表示装置３との間に設けられ、表示装置３に表示されるデータの制御を行うものである。
【００２０】
エンベデッドコントローラ/キーボードコントローラＩＣ（ＥＣ／ＫＢＣ）１３は、電力管理のためのエンベデッドコントローラ（ＥＣ）とキーボード４を制御するためのキーボードコントローラ（ＫＢＣ）とが集積されたものである。キーボード４とタッチパッド５は、このエンベデッドコントローラ/キーボードコントローラＩＣ（ＥＣ／ＫＢＣ）１３を介してＲｏｏｔ  Ｃｏｍｐｌｅｘ６に接続されている。
【００２１】
タッチパッド５は、タッチスイッチ１４と表示部１５で構成されている。タッチスイッチ１４と表示部１５は後に詳述する。
【００２２】
次に、このように構成されたＰＣの動作について説明する。
【００２３】
図３はタッチパッド５の正面図である。このタッチパッド５は、表示装置３に表示されたカーソルを操作して、この表示装置３上における位置情報の入力や、表示された操作ボタンを選択するために設けられている。このタッチパッド５の操作面上で、たとえば指をドラッグさせることによりカーソルの位置を移動することができるようになっている。また、左ボタン５ａ及び右ボタン５ｂを押すと、そのときにカーソルが指し示している操作ボタンを選択するなど、その領域に割り当てられた機能を実行することができる。
【００２４】
図４は、ＰＣのファイルやフォルダの操作、例えば削除やコピーなどを行った際に、表示されるダイアログボックス２０の例を示すものである。ダイアログボックス２０には、ＰＣで実行する機能、例えば“ファイルの削除”とその機能の実行可否を確認するための選択ボタン［はい（Ｙ）］２１と［いいえ（Ｎ）］２２とが表示される。
【００２５】
図５は、図４で例示したような選択ボタンが２つ含まれたダイアログボックス２０が表示されたときのタッチパッド５の領域設定の例を示す。このとき、タッチパッド５の上部には２つの選択領域、左選択領域２３ａと右選択領域２３ｂとが設定される。左選択領域２３ａは選択ボタン［はい（Ｙ）］２１に対応して、右選択領域２３ｂは選択ボタン［いいえ（Ｎ）］２２に対応する。
【００２６】
図６に上記した第１の実施形態の処理手順を示している。この図６に示す処理では、表示装置３で、図４に示すように、ダイアログボックス２０が表示されたか否かを判断する（ステップＳ１）。ダイアログボックス２０が表示された場合は、ダイアログボックス２０に設けられた選択ボタン２１と２２および他にも選択ボタンが表示されている場合にはその数の総数が取得され、図５に示すようにタッチパッド５の操作面上に選択ボタン２１と２２に対応する選択領域２３ａと２３ｂとが等分される（ステップＳ２，Ｓ３）。等分された選択領域２３ａと２３ｂは、タッチパッド５の操作面上に表示装置3の選択ボタンの配列と同じ順に自動的に配置される（ステップＳ４）。
【００２７】
この状態で、ユーザがタッチパッド５の操作面上の選択領域２３ａと２３ｂを操作したか否かを判断する（ステップＳ５）。選択領域２３ａと２３ｂに触れていない場合は、ユーザが選択領域２３ａと２３ｂに触れるまで待機する。ユーザが選択領域２３ａと２３ｂの何れかを操作すると、ＰＣは操作された選択領域２３ａ又は２３ｂに対応する選択ボタン２１又は２２の機能を実行する（ステップＳ６）。この機能が実行されると、表示装置３の表示が消えると共に、選択領域の設定が解除されて、タッチパッドも元のポインティングデバイスに戻る。
【００２８】
ステップＳ１でダイアログボックス２０が表示されていない場合は、タッチパッド５が操作されたか否かを判断する（ステップＳ７）。ダイアログボックス２０が表示されていない状態で、タッチパッド５が操作された場合は、ユーザの操作に従って、カーソルを移動する（ステップＳ８）。タッチパッド５が操作されていない場合は、最初のステップＳ１に戻って、ダイアログボックス２０が表示されたか否かを判断する。
【００２９】
ＰＣは色々なプログラムを実行する過程で、種々のダイアログボックスが表示されることがある。ダイアログボックス内の選択ボタンは必ずしも図4に示すような２つの選択ボタンに限らず、１つの選択ボタンや３つ以上の選択ボタンが設けられているダイアログボックスもある。
【００３０】
図７に示すダイアログボックスは１つの選択ボタン２５が設けられているダイアログボックス２４の例を示している。
【００３１】
図８は、図7のような選択ボタン２５が１つ含まれたダイアログボックス２４が表示されたときのタッチパッド５の領域設定の例を示す。この例では、タッチパッド５の上部には１つの選択領域２６が設定される。
【００３２】
また、図９は、３つの選択ボタン２８、２９、３０が設けられているダイアログボックス２７の例を示している。
【００３３】
図１０は、図9のような３つの選択ボタンが含まれたダイアログボックス２７が表示されたときのタッチパッド５の例を示す。この例では、タッチパッド５の上部が選択ボタンと同数の３つの選択領域３１ａ、３１ｂ、３１ｃが等分されて配置される。
【００３４】
次の図１１を参照して本発明の第２の実施形態を説明する。
【００３５】
第１実施形態では、タッチパッド５の操作面上に設定された選択領域を操作すると、対応しているダイアログボックスの選択ボタンを選択できる。しかし、複数の選択領域がタッチパッドの上部に隙間無く連続して配置されているので、誤って選択領域の中間付近を操作すると、本来選択する領域とは異なる隣の選択領域に触れてしまう可能性もある。
【００３６】
例えば、［はい］と［いいえ］の選択ボタンがあれば、その選択領域は互いに隣に並んで設定される。ユーザはあるファイルをごみ箱に移す操作を行ったとき、［いいえ］を選択するつもりでも、誤って［はい］の領域に触れてしまうと削除したくないファイルを間違って削除してしまうおそれがある。
【００３７】
図１１では、選択ボタンが２つ含まれたダイアログボックス２０が表示されたときのタッチパッド５の領域設定の例を示す。このとき、タッチパッドの上部には２つの選択領域３２ａと３２ｂとその間の非選択領域３３が設定される。この非選択領域は操作されてもＰＣは何の機能も実行しない。
【００３８】
このように、選択領域の間に非選択領域を設けることにより、誤操作を防止することができる。
【００３９】
次に図１２及び図１３を参照して本発明の第３の実施形態を説明する。
【００４０】
図１２（ａ）はタッチパッド５の正面図である。図１２（ｂ）はタッチパッド５の一部の断面図である。
【００４１】
図１２（ｂ）に示すように、タッチパッド５は、選択領域の内容を表示するための表示部１５とその表示部の上面に設けられた透明なタッチスイッチ１４により構成されている。
【００４２】
本実施形態のPCでは、表示装置３に図４に示すようなダイアログボックス２０が表示されると、そのダイアログボックス２０の選択ボタン２１と２２の数に応じた選択領域３４ａと３４ｂとが罫線で表示される。
【００４３】
また、この選択領域内には、選択ボタン２１と２２の操作内容と同じ内容が表示される。従って、ユーザは透明なタッチスイッチ１４を通して、表示部１５の表示内容を見ることができ、選択したい選択ボタンに対応した選択領域を確実に操作できる。
【００４４】
なお、上述の実施形態ではタッチパッド５の上部側に選択領域を設定し、設定した選択領域のみが選択ボタンとして機能するようにした。これ以外にも、上部側に選択領域が設定されたとき、タッチパッド５の下部側をポインティングデバイスとして機能させ、引き続きユーザがカーソルの移動を行えるように構成しても良い。
【図面の簡単な説明】
【００４５】
【図１】本発明の実施形態におけるＰＣの外観構成を示す斜視図。
【図２】図１に示したＰＣのシステム構成を示すブロック図。
【図３】タッチパッドの操作について説明するための図。
【図４】本発明の第１の実施形態におけるダイアログボックスの表示例図。
【図５】本発明の第１の実施形態におけるタッチパッドの選択領域を説明するための図。
【図６】選択領域割り付け処理の流れを示すフローチャート。
【図７】本発明の第１の実施形態における１つの選択ボタンが設けられているダイアログボックスの表示例図。
【図８】本発明の第１の実施形態における１つの選択領域を割り付けられたタッチパッドを説明するための図。
【図９】本発明の第１の実施形態における３つの選択ボタンが設けられているダイアログボックスの表示例図。
【図１０】本発明の第１の実施形態における３つの選択領域を割り付けられたタッチパッドを説明するための図。
【図１１】本発明の第２の実施形態におけるタッチパッドの選択領域を説明するための図。
【図１２】本発明の第３の実施形態における機能付きのタッチパッドを説明するための図。
【図１３】本発明の第3の実施形態のＰＣのシステム構成を示すブロック図。
【符号の説明】
【００４６】
１      本体
２      ディスプレイユニット
３      表示装置（ＬＣＤ）
４      キーボード
５      タッチパッド
５ａ    ポインティングデバイスのボタン
５ｂ    ポインティングデバイスのボタン
６      Ｒｏｏｔ  Ｃｏｍｐｌｅｘ
７      ＣＰＵ
８      ＢＩＯＳ−ＲＯＭ
９      ハードディスクドライブ（ＨＤＤ）
１０    主メモリ
１１    光ディスクドライブ
１２    グラフィクスコントローラ
１３    エンベデッドコントローラ/キーボードコントローラＩＣ（ＥＣ／ＫＢＣ）
１４    タッチスイッチ
１５    表示部
２０    ダイアログボックスの画面
２３ａ  タッチパッド上の左選択領域
２３ｂ  タッチパッド上の右選択領域
３３    選択領域の間の非選択領域
３４ａ  表示がある左選択領域
３４ｂ  表示がある右選択領域
【図１】
2009087075.tif 000003
【図２】
2009087075.tif 000004
【図３】
2009087075.tif 000005
【図４】
2009087075.tif 000006
【図５】
2009087075.tif 000007
【図６】
2009087075.tif 000008
【図７】
2009087075.tif 000009
【図８】
2009087075.tif 000010
【図９】
2009087075.tif 000011
【図１０】
2009087075.tif 000012
【図１１】
2009087075.tif 000013
【図１２】
2009087075.tif 000014
【図１３】
2009087075.tif 000015